(57)【特許請求の範囲】
【請求項１】
第１の筐体と電源キーとこの電源キー以外の複数のキーからなる操作キー部を有する第２の筐体が案内体を介して互いにスライド可能に設けられたスライド式の情報処理装置において、
前記第２の筐体に設けられた前記電源キーが押下された場合に、前記電源キーの押下時から予め設定された所定の時間が経過したとき、前記第２の筐体に設けられた前記電源キー以外の複数のキーのいずれかが押下されているか否かを判定する判定手段と、
前記判定手段により前記第２の筐体に設けられた前記電源キー以外の複数のキーのいずれかが押下されていると判定された場合、前記電源キーを無効にし、前記電源キーの操作に伴う動作の実行を禁止するように制御する制御手段とを備えることを特徴とする情報処理装置。
【請求項２】
第１の筐体と電源キーとこの電源キー以外の複数のキーからなる操作キー部を有する第２の筐体が案内体を介して互いにスライド可能に設けられたスライド式の情報処理装置において、
前記第２の筐体に設けられた前記電源キーが押下された場合に、前記情報処理装置の状態に応じて、前記第２の筐体に設けられた前記電源キー以外の複数のキーのいずれかが押下されているか否かを判定する判定手段と、
前記判定手段により前記第２の筐体に設けられた前記電源キー以外の複数のキーのいずれかが押下されていると判定された場合、前記電源キーを無効にし、前記電源キーの操作に伴う動作の実行を禁止するように制御する制御手段とを備えることを特徴とする情報処理装置。
【請求項３】
前記判定手段は、前記第２の筐体に設けられた前記電源キーが押下された場合に、前記情報処理装置の状態が、第２の筐体がスライドされて係止された閉位置の状態であるとき、前記第２の筐体に設けられた前記電源キー以外の複数のキーのいずれかが押下されているか否かを判定することを特徴とする請求項２に記載の情報処理装置。
【請求項４】
前記第２の筐体に設けられた前記電源キーが押下された場合に、前記情報処理装置の状態が、前記第１の筐体と前記第２の筐体とが開位置の状態であるとき、前記判定手段による判定処理は行われず、前記制御手段は、前記電源キーを有効にし、前記電源キーの操作に伴う動作を実行するように制御することを特徴とする請求項２に記載の情報処理装置。
【発明の詳細な説明】
【技術分野】
【０００１】
本発明は情報処理装置に係り、特に、キー操作に伴う動作を制御することができるようにした情報処理装置に関する。
【背景技術】
【０００２】
近年、第１の筐体と第２の筐体からなり、かつ、これらの筐体が互いにスライド可能に設けられたスライド式の構造を有する携帯電話機が提案されている。それ以外にも、従来からのストレート式の携帯電話機や、フリッパ式の携帯電話機、折り畳み式の携帯電話機などが提案されている。
【０００３】
一般に、携帯電話機は、ユーザにより肌身離さずに携帯され、例えばユーザのポケットなどに入れられて携帯されて持ち運ばれる。持ち運ばれている最中にいずれかの操作キーやスイッチなどが押されてしまうと、携帯電話機が誤作動を起す場合も考えられる。
【０００４】
そこで、例えばフリッパ式の携帯電話機に関する誤作動を防止するための技術として、携帯電話機の本体とフリッパとの間に異物などが挟まれた場合に、携帯電話機における誤作動を防止する技術が提案されている（例えば特許文献１参照）。
【０００５】
特許文献１に提案されている技術によれば、フリッパ式の携帯電話機において、フリッパが閉じられたとき、その後電源キーの操作があったとしても、電源キーの操作を無効にすることができる。
【特許文献１】特開平２−４４８４３号公報
【発明の開示】
【発明が解決しようとする課題】
【０００６】
しかしながら、特許文献１に提案されている技術では、携帯電話機の本体とフリッパとの間に異物などが挟まれた場合に、携帯電話機における誤作動を防止することはできるが、例えば操作キーが外部に露出しているスライド式の携帯電話機などの他の携帯電話機には適用することはできない。
【０００７】
そのため、スライド式の携帯電話機においては、操作キーが外部に露出しており、鞄やポケットに入れられた際に、ユーザの意図しないときに操作キーが鞄やポケット内において押下されてしまい、依然として誤作動を起してしまうという課題があった。具体的には、鞄やポケットに入れられた際に、ユーザの意図しないときに操作キーのうちの電源キーが鞄やポケット内において押下されてしまい、電源オンまたは電源オフされてしまう。
【０００８】
本発明は、このような状況に鑑みてなされたものであり、操作キーが外部に露出している場合であっても、ユーザの意図しない誤作動を好適に防止することができる情報処理装置を提供することを目的とする。
【課題を解決するための手段】
【０００９】
参考例に係る情報処理装置は、上述した課題を解決するために、電源キーとこの電源キー以外の複数のキーからなる操作キー部を有する筐体に設けられた電源キーが押下されたときに、筐体に設けられた電源キー以外の複数のキーのいずれかが押下されているか否かを判定する判定手段と、判定手段により筐体に設けられた電源キー以外の複数のキーのいずれかが押下されていると判定された場合、電源キーを無効にし、電源キーの操作に伴う動作の実行を禁止するように制御する制御手段とを備えることを特徴とする。
【００１０】
本発明に係る情報処理装置は、上述した課題を解決するために、第１の筐体と電源キーとこの電源キー以外の複数のキーからなる操作キー部を有する第２の筐体が案内体を介して互いにスライド可能に設けられたスライド式の情報処理装置において、第２の筐体に設けられた電源キーが押下された場合に、前記電源キーの押下時から予め設定された所定の時間が経過したとき、第２の筐体に設けられた電源キー以外の複数のキーのいずれかが押下されているか否かを判定する判定手段と、判定手段により第２の筐体に設けられた電源キー以外の複数のキーのいずれかが押下されていると判定された場合、電源キーを無効にし、電源キーの操作に伴う動作の実行を禁止するように制御する制御手段とを備えることを特徴とする。
【００１１】
参考例に係る情報処理装置は、上述した課題を解決するために、第１の筐体と第２の筐体が案内体を介して互いにスライド可能に設けられたスライド式の情報処理装置において、第２の筐体に設けられた電源キーが押下された場合に、情報処理装置が第１の状態であるか否かを判定する判定手段と、判定手段により情報処理装置が第１の状態であると判定された場合、電源キーの押下が長押しであるとき、電源キーを無効にし、電源キーの操作に伴う動作の実行を禁止するように制御する制御手段とを備えることを特徴とする。
【発明の効果】
【００１２】
本発明によれば、操作キーが外部に露出している場合であっても、ユーザの意図しない誤作動を好適に防止することができる。
【発明を実施するための最良の形態】
【００１３】
以下、本発明の実施の形態について、図面を参照しながら説明する。
【００１４】
図１は、本発明に係る情報処理装置として適用可能なスライド式の携帯電話機１の外観の構成を表している。
【００１５】
図１（Ａ）および（Ｂ）に示されるように、携帯電話機１は、第１の筐体１１と第２の筐体１２からなり、図示せぬガイドユニット（案内体）を介して第１の筐体１１と第２の筐体１２とが互いに矢印Ｘ方向にスライド可能に設けられている。なお、図１（Ａ）は、第１の筐体１１と第２の筐体１２を一体に重ね合わせた閉位置での携帯電話機１を正面から見た外観の構成を表しており、図１（Ｂ）は、第１の筐体１１と第２の筐体１２を一体に重ね合わせた閉位置での携帯電話機１を側面から見た外観の構成を表している。
【００１６】
第２の筐体１２は、ほぼ平面形状をしている。図１（Ａ）における第２の筐体１２の表面の中央部には、ＬＣＤ（Liquid Crystal Display）などからなるメインディスプレイ１３が設けられている。図１（Ａ）における第２の筐体１２の表面の基部側には、サブ操作キーとしての第２の操作キー１４が設けられており、第２の操作キー１４を用いて各種指示を入力することができる。この第２の操作キー１４には、発呼キー、終話・電源キー、クリアキー、および電子メールキーなどの各種の操作キーが配置されている。
【００１７】
また、第２の筐体１２には、第２の操作キー１４として十字キーと確定キーが設けられており、ユーザが十字キーを上下左右方向に操作することにより当てられたカーソルを上下左右方向に移動させることができる。具体的には、第２の筐体１２に設けられたメインディスプレイ１３に表示されている電話帳リストや電子メールのスクロール動作、簡易ホームページのページ捲り動作および画像の送り動作などの種々の動作を実行する。
【００１８】
また、確定キーを押下することにより、種々の機能を確定することができる。例えばユーザによる十字キーの操作に応じてメインディスプレイ１３に表示された電話帳リストの複数の電話番号の中から所望の電話番号が選択され、確定キーが第２の筐体１２の内部方向に押圧されると、選択された電話番号を確定して電話番号に対して発呼処理が行われる。
【００１９】
さらに、第２の筐体１２には、十字キーと確定キーの左隣に電子メールキーが設けられており、電子メールキーが第２の筐体１２の内部方向に押圧されると、メールの送受信機能を呼び出すことができる。十字キーと確定キーの右隣には、ブラウザキーが設けられており、ブラウザキーが第２の筐体１２の内部方向に押圧されると、Ｗｅｂページのデータを閲覧することが可能となる。
【００２０】
図１（Ａ）における第２の筐体１２の表面の先端側には、スピーカ１５が所定の位置に設けられており、これにより、ユーザは音声通話することが可能である。また、第１の筐体１２には、携帯電話機１の操作を行うサイドキー１６が設けられている。さらに、第１の筐体１１と第２の筐体１２の内部の所定の位置には、携帯電話機１の状態（すなわち、第２の筐体１２が閉位置にある状態、または第２の筐体１２が開位置にある状態）を検知するための磁気センサ１７a、１７b、および１７cが設けられる。
【００２１】
なお、第１の筐体１１と第２の筐体１２には、第２の筐体１２が図示せぬガイドユニット（案内体）を介してスライドされた場合に、開位置と閉位置で係止（ロック）するための係止機構（図示せず）が設けられている。この係止機構が設けられる位置は、磁気センサ１７bおよび１７cが配設される位置と一致している。図示せぬ係止機構は、例えば機械的に係合する構造を有し、所定の基準値以上の大きい力がユーザにより加えられてスライド操作されると、係止状態を解除して容易にスライド可能となるように構成されている。
【００２２】
携帯電話機１の内部の所定の位置には、送受信用のアンテナ（後述する図３のアンテナ３１）が設けられており、内蔵されたアンテナを介して基地局（図示せず）との間で電波を送受信する。
【００２３】
図２は、本発明に係る情報処理装置として適用可能なスライド式の携帯電話機１の他の外観の構成を表している。なお、図２（Ａ）は、第２の筐体１２が図１（Ａ）において長軸方向（Ｘ方向）上方にスライドされて開位置で係止された状態での携帯電話機１を正面から見た外観の構成を表しており、図２（Ｂ）は、第２の筐体１２が図１（Ａ）において長軸方向上方にスライドされて開位置で係止された状態での携帯電話機１を側面から見た外観の構成を表している。
【００２４】
第１の筐体１１は、第２の筐体１２とほぼ同じ平面形状をしている。図２（Ａ）における第２の筐体１２の表面の基部側には、メイン操作キーとしての第１の操作キー１８が設けられており、第１の操作キー１８を用いて各種指示を入力することができる。この第１の操作キー１８には、「０」乃至「９」の数字キーなどの操作キーが配置されている。
【００２５】
また、第１の筐体１１には、第１の操作キー１８の下部にマイクロフォン１９が設けられており、マイクロフォン１９によって通話時のユーザの音声を集音する。
【００２６】
なお、第１の筐体１２は、背面側に図示しないバッテリパックが挿着されており、終話・電源キーがオン状態になると、バッテリパックから各回路部に対して電力が供給されて動作可能な状態に起動する。一方、図２（Ｂ）に示されるように、図２（Ａ）での第１の筐体１１の裏面側には、ＣＣＤカメラ２０が設けられており、これにより、所望の撮影対象を撮像することができる。
【００２７】
図３は、本発明に係る情報処理装置に適用可能な携帯電話機１の内部の構成を表している。
【００２８】
図示せぬ基地局から送信されてきた無線信号は、アンテナ３１で受信された後、アンテナ共用器（ＤＵＰ）３２を介して受信回路（ＲＸ）３３に入力される。受信回路３３は、受信された無線信号を周波数シンセサイザ（ＳＹＮ）３４から出力された局部発振信号とミキシングして中間周波数信号に周波数変換（ダウンコンバート）する。そして、受信回路３３は、このダウンコンバートされた中間周波数信号を直交復調して受信ベースバンド信号を出力する。なお、周波数シンセサイザ３４から発生される局部発振信号の周波数は、制御部４１から出力される制御信号ＳＹＣによって指示される。
【００２９】
受信回路３３からの受信ベースバンド信号は、ＣＤＭＡ信号処理部３６に入力される。ＣＤＭＡ信号処理部３６は、図示せぬＲＡＫＥ受信機を備える。このＲＡＫＥ受信機では、受信ベースバンド信号に含まれる複数のパスがそれぞれの拡散符号（すなわち、拡散された受信信号の拡散符号と同一の拡散符号）で逆拡散処理される。そして、この逆拡散処理された各パスの信号は、位相が調停された後、コヒーレントＲａｋｅ合成される。Ｒａｋｅ合成後のデータ系列は、デインタリーブおよびチャネル復号（誤り訂正復号）が行われた後、２値のデータ判定が行われる。これにより、所定の伝送フォーマットの受信パケットデータが得られる。この受信パケットデータは、圧縮伸張処理部３７に入力される。
【００３０】
圧縮伸張処理部３７は、ＤＳＰ（Digital Signal Processor）などにより構成され、ＣＤＭＡ信号処理部３６から出力された受信パケットデータを図示せぬ多重分離部によりメディアごとに分離し、分離されたメディアごとのに対してそれぞれ復号処理を行う。例えば通話モードにおいては、受信パケットデータに含まれる通話音声などに対応するオーディオデータをスピーチコーデックにより復号する。また、例えばテレビ電話モードなどのように、受信パケットデータに動画像データが含まれていれば、この動画像データをビデオコーデックにより復号する。さらに、受信パケットデータがダウンロードコンテンツであれば、このダウンロードコンテンツを伸張した後、伸張されたダウンロードコンテンツを制御部４１に出力する。
【００３１】
復号処理により得られたディジタルオーディオ信号はＰＣＭコーデック３８に供給される。ＰＣＭコーデック３８は、圧縮伸張処理部３７から出力されたディジタルオーディオ信号をＰＣＭ復号し、ＰＣＭ復号後のアナログオーディオデータ信号を受話増幅器３９に出力する。このアナログオーディオ信号は、受話増幅器３９にて増幅された後、スピーカ１５により出力される。
【００３２】
圧縮伸張処理部３７によりビデオコーデックにて復号されたディジタル動画像信号は、制御部４１に入力される。制御部４１は、圧縮伸張処理部３７から出力されたディジタル動画像信号に基づく動画像を、図示せぬビデオＲＡＭ（例えばＶＲＡＭなど）を介してメインディスプレイ１３に表示させる。なお、制御部４１は、受信された動画像データだけでなく、ＣＣＤカメラ２０により撮像された動画像データに関しても、図示せぬビデオＲＡＭを介してメインディスプレイ１３に表示させることも可能である。
【００３３】
また、圧縮伸張処理部３７は、受信パケットデータが電子メールである場合、この電子メールを制御部４１に供給する。制御部４１は、圧縮伸張処理部３７から供給された電子メールを記憶部４２に記憶させる。そして、制御部４１は、ユーザによる入力部としての第１の操作キー１８および第２の操作キー１４の操作に応じて、記憶部４２に記憶されているこの電子メールを読み出し、読み出された電子メールをメインディスプレイ１３に表示させる。
【００３４】
一方、通話モードにおいて、マイクロフォン１９に入力された話者（ユーザ）の音声信号（アナログオーディオ信号）は、送話増幅器４０により適正レベルまで増幅された後、ＰＣＭコーデック３８によりＰＣＭ符号化される。このＰＣＭ符号化後のディジタルオーディオ信号は、圧縮伸張処理部３７に入力される。また、ＣＣＤカメラ２０から出力される動画像信号は、制御部４１によりディジタル化されて圧縮伸張処理部３７に入力される。さらに、制御部４１にて作成されたテキストデータである電子メールも、圧縮伸張処理部３７に入力される。
【００３５】
圧縮伸張処理部３７は、ＰＣＭコーデック３８から出力されたディジタルオーディオ信号を所定の送信データレートに応じたフォーマットで圧縮符号化する。これにより、オーディオデータが生成される。また、圧縮伸張処理部３７は、制御部４１から出力されたディジタル動画像信号を圧縮符号化して動画像データを生成する。そして、圧縮伸張処理部３７は、これらのオーディオデータや動画像データを図示せぬ多重分離部で所定の伝送フォーマットに従って多重化した後にパケット化し、パケット化後の送信パケットデータをＣＤＭＡ信号処理部３６に出力する。なお、圧縮伸張処理部３７は、制御部４１から電子メールが出力された場合にも、この電子メールを送信パケットデータに多重化する。
【００３６】
ＣＤＭＡ信号処理部３６は、圧縮伸張処理部３７から出力された送信パケットデータに対し、送信チャネルに割り当てられた拡散符号を用いてスペクトラム拡散処理を施し、スペクトラム拡散処理後の出力信号を送信回路（ＴＸ）３５に出力する。送信回路３５は、スペクトラム拡散処理後の信号をＱＰＳＫ（Quadrature Phase Shift Keying）方式などのディジタル変調方式を使用して変調する。送信回路３５は、ディジタル変調後の送信信号を、周波数シンセサイザ３４から発生される局部発振信号と合成して無線信号に周波数変換（アップコンバート）する。そして、送信回路３５は、制御部４１により指示される送信電力レベルとなるように、このアップコンバートにより生成された無線信号を高周波増幅する。この高周波増幅された無線信号は、アンテナ共用器３２を介してアンテナ３１に供給され、このアンテナ３１から図示せぬ基地局に向けて送信される。
【００３７】
また、携帯電話機１は、外部メモリインタフェース４６を備えている。この外部メモリインタフェース４６は、メモリカード４７を着脱することが可能なスロットを備えている。メモリカード４７は、ＮＡＮＤ型フラッシュメモリカードやＮＯＲ型フラッシュメモリカードなどに代表されるフラッシュメモリカードの一種であり、１０ピン端子を介して画像や音声、音楽等の各種データの書き込み及び読み出しが可能となっている。
【００３８】
制御部４１は、ＣＰＵ（Central Processing Unit）、ＲＯＭ（Read Only Memory）、およびＲＡＭ（Random Access Memory）などからなり、ＣＰＵは、ＲＯＭに記憶されているプログラムまたは記憶部４２からＲＡＭにロードされた各種のアプリケーションプログラムに従って各種の処理を実行するとともに、種々の制御信号を生成し、各部に供給することにより携帯電話機１を統括的に制御する。ＲＡＭは、ＣＰＵが各種の処理を実行する上において必要なデータなどを適宜記憶する。
【００３９】
記憶部４２は、例えば、電気的に書換えや消去が可能な不揮発性メモリであるフラッシュメモリ素子やＨＤＤ（Hard Disc Drive）などからなり、制御部４１のＣＰＵにより実行される種々のアプリケーションプログラムや種々のデータ群を格納している。
【００４０】
電源回路４４は、バッテリ４３の出力を基に所定の動作電源電圧Ｖｃｃを生成して各回路部に供給する。また、携帯電話機１には、現在の正確な現在の時刻を測定する時計回路４５が設けられている。
【００４１】
次に、図４のフローチャートを参照して、図３の携帯電話機１における終話・電源キー有効無効制御処理について説明する。この終話・電源キー有効無効制御処理は、ユーザにより第２の操作キー１４のうちの終話・電源キーが押下されたとき、または、携帯電話機１がユーザのポケットや鞄などに入れられた状態で何らかの形で外圧が加わり、ユーザが意図しないうちに終話・電源キーが押下されたときに開始される。
【００４２】
ステップＳ１において、制御部４１は、第２の操作キー１４のうちの終話・電源キーが押下されたか否かを判定し、第２の操作キー１４のうちの終話・電源キーが押下されたと判定するまで待機する。具体的には、制御部４１は、ユーザにより第２の操作キー１４のうちの終話・電源キーが押下されたかとき、あるいは、携帯電話機１がユーザのポケットや鞄などに入れられた状態で何らかの形で外圧が加わり、ユーザが意図しないうちに終話・電源キーが押下されたときなどに、第２の操作キー１４のうちの終話・電源キーが押下されたと判定する。
【００４３】
ここで、第２の操作キー１４のうちの終話・電源キーが押下されたと判定された場合であったとしても、それだけでは、ユーザにより第２の操作キー１４のうちの終話・電源キーが押下されたときであるのか、あるいは、携帯電話機１がユーザのポケットや鞄などに入れられた状態で何らかの形で外圧が加わり、ユーザが意図しないうちに終話・電源キーが押下されたときであるのかを判別することはできない。そこで、後者の場合には、一般に、第２の操作キー１４のうちの終話・電源キーだけでなく、第２の筐体１２の表面に存在する同じ高さの他の操作キーに関しても同様に外圧がかかっていると想定される（すなわち、多重押しの状態であると想定される）ことから、終話・電源キーが押下されたときに他の操作キーも同時に押下されているか否かを判定し、終話・電源キーが押下されたときに他の操作キーも同時に押下されている場合には、後者のように、ユーザが意図しないうちに終話・電源キーが押下されたときと認識するようにする。一方、終話・電源キーが押下されたときに他の操作キーも同時に押下されていない場合には、ユーザにより第２の操作キー１４のうちの終話・電源キーが押下されたときと認識するようにする。
【００４４】
ステップＳ１において第２の操作キー１４のうちの終話・電源キーが押下されたと判定された場合、制御部４１はステップＳ２で、第２の操作キー１４のうちの終話・電源キー以外の他の操作キーが押下されているか否かを判定する。換言すれば、ユーザが意図しないうちに終話・電源キーが押下されたときであるか、ユーザにより第２の操作キー１４のうちの終話・電源キーが押下されたときであるかが判定される。
【００４５】
ステップＳ２において第２の操作キー１４のうちの終話・電源キー以外の他の操作キーが押下されていると判定された場合、制御部４１はステップ３で、携帯電話機１がユーザのポケットや鞄などに入れられた状態で何らかの形で外圧が加わり、ユーザが意図しないうちに終話・電源キーが押下されたときであると認識し、終話・電源キーを無効にする。これにより、携帯電話機１がユーザのポケットや鞄などに入れられた状態で何らかの形で外圧が加わり、ユーザが意図しないうちに終話・電源キーが押下されたときに、第２の操作キー１４のうちの終話・電源キーの電源キーとしての機能を無効とし、終話・電源キーの電源キーとしてのオン動作またはオフ動作の実行を禁止することができる。従って、例えば第２の筐体１２に設けられた第２の操作キー１４のように操作キーが外部に露出している場合であっても、ユーザの意図しない誤作動を好適に防止することができる。
【００４６】
その後、処理はステップＳ１に戻り、ステップＳ１以降の処理が繰り返し実行される。これにより、その後、再び、同様の状況が繰り返し起こったとしても、第２の操作キー１４のうちの終話・電源キーの電源キーとしての機能を無効とすることができ、ユーザの意図しない誤作動を好適に防止することができる。
【００４７】
一方、ステップＳ２において第２の操作キー１４のうちの終話・電源キー以外の他の操作キーが押下されていないと判定された場合、制御部４１はステップＳ４で、ユーザにより第２の操作キー１４のうちの終話・電源キーが押下されたときと認識し、終話・電源キーを有効にし、終話・電源キーの電源キーとしてのオン動作またはオフ動作を実行する。これにより、ユーザによる第２の操作キー１４に応じた通常の電源キーとしてのオン動作またはオフ動作が実行される。
【００４８】
その後、処理はステップＳ１に戻り、ステップＳ１以降の処理が繰り返し実行される。
【００４９】
本発明の実施形態においては、第１の筐体１１と第２の筐体１２が図示せぬ案内体を介して互いにスライド可能に設けられたスライド式の携帯電話機１において、第２の筐体１２に設けられた第２の操作キー１４のうちの例えば終話・電源キーが押下されたときに、第２の筐体１２に設けられた第２の操作キー１４のうちの終話・電源キー以外の操作キーが押下されているか否かを判定し、第２の筐体１２に設けられた第２の操作キー１４のうちの終話・電源キー以外の操作キーが押下されていると判定された場合、終話・電源キーを無効にし、終話・電源キーの操作に伴う動作の実行を禁止するように制御することができる。
【００５０】
これにより、携帯電話機１がユーザのポケットや鞄などに入れられた状態で何らかの形で外圧が加わり、ユーザが意図しないうちに終話・電源キーが押下されたときに、第２の操作キー１４のうちの終話・電源キーの電源キーとしての機能を無効とし、終話・電源キーの電源キーとしてのオン動作またはオフ動作の実行を禁止することができる。従って、例えば第２の筐体１２に設けられた第２の操作キー１４のように操作キーが外部に露出している場合であっても、ユーザの意図しない誤作動を好適に防止することができる。その結果、携帯電話機１における利便性を向上させることができる。
【００５１】
なお、本発明の実施形態においては、第２の操作キー１４のうちの終話・電源キーについて明示的に記載したが、このような場合に限られず、第２の筐体１２の表面に露出する全ての操作キーについて適用することができ、例えば第２の操作キー１４のうちの発呼キーなどの他の操作キーについても、本発明を適用するようにしてもよい。
【００５２】
また、通常の状態で、ユーザが電源をオンまたはオフにするために終話・電源キーを押下したときに、誤って第２の操作キー１４のうちの他の操作キーをその後押下してしまう場合も考えられる。このような場合、ユーザが意図しない終話・電源キーの押下ではないにもかかわらず、携帯電話機１において電源のオン動作またはオフ動作が実行されなくなってしまう。このような状況は好ましくはない。そこで、より正確に、ユーザにより第２の操作キー１４のうちの終話・電源キーが押下されたときであるのか、あるいは、携帯電話機１がユーザのポケットや鞄などに入れられた状態で何らかの形で外圧が加わり、ユーザが意図しないうちに終話・電源キーが押下されたときであるのかを判別することができるように、例えば終話・電源キーが押下された後、所定の時間（例えば２、３秒間など）経過した場合に、第２の操作キー１４のうちの終話・電源キー以外の操作キーが押下されているかを判定するようにする。これにより、ユーザの意図しない誤作動をより好適に防止することができる。その結果、携帯電話機１における利便性をより向上させることができる。以下、この方法を用いた終話・電源キー有効無効制御処理について説明する。
【００５３】
図５のフローチャートを参照して、図３の携帯電話機１における他の終話・電源キー有効無効制御処理について説明する。なお、図５のステップＳ１１、およびステップＳ１３乃至Ｓ１５の処理は、図４のステップＳ１乃至Ｓ４の処理と同様であり、その説明は繰り返しになるので省略する。
【００５４】
ステップＳ１１において第２の操作キー１４のうちの終話・電源キーが押下されたと判定された場合、制御部４１はステップＳ１２で、時計回路４５を用いて予め設定された所定の時間（例えば２、３秒間など）が経過したか否かを判定し、予め設定された所定の時間（例えば２、３秒間など）が経過したと判定するまで待機する。ステップＳ１２において予め設定された所定の時間（例えば２、３秒間など）が経過したと判定された場合、処理はステップＳ１３に進み、ステップＳ１３以降の処理が繰り返し実行される。すなわち、ステップＳ１３において第２の操作キー１４のうちの終話・電源キー以外の操作キーが押下されているかが判定される。
【００５５】
ここで、ユーザが電源をオンまたはオフにするために終話・電源キーを押下したときに誤って他の操作キーをその後押下してしまった場合には、たとえ他の操作キーが押下されたときしても、通常、２，３秒の時間が経過すると、終話・電源キーと他の操作キーとの多重押しの状況は解消されると考えられる。一方、携帯電話機１がユーザのポケットや鞄などに入れられた状態で何らかの形で外圧が加わり、ユーザが意図しないうちに終話・電源キーが押下された場合には、２，３秒の時間が経過したとしても、直ちに外圧に伴う多重押しの状況は解消されないと考えられる。
【００５６】
これにより、第２の操作キー１４のうちの終話・電源キーが押下されたと判定された場合に、敢えて所定の時間（例えば２，３秒の時間など）が経過した後、第２の操作キー１４のうちの終話・電源キー以外の操作キーが押下されているか否かを判定することで、ユーザにより第２の操作キー１４のうちの終話・電源キーが押下されたときであるのか、あるいは、携帯電話機１がユーザのポケットや鞄などに入れられた状態で何らかの形で外圧が加わり、ユーザが意図しないうちに終話・電源キーが押下されたときであるのかをより正確に判別することができ、例えば第２の筐体１２に設けられた第２の操作キー１４のように操作キーが外部に露出している場合であっても、ユーザの意図しない誤作動をより好適に防止することができる。その結果、携帯電話機１における利便性をより向上させることができる。
【００５７】
勿論、予め設定された所定の時間が経過したか否かを判定するのではなく、電源キーのオン動作またはオフ動作を実行する際に、第２の操作キー１４のうちの終話・電源キー以外の操作キーが押下されているかを判定するようにしてもよい。
【００５８】
ところで、通常、ユーザがポケットや鞄に携帯電話機１を入れておく場合には、携帯電話機１の状態を開位置ではなく閉位置の状態にして収納しておくことが想定される。換言すれば、携帯電話機１の状態が開位置の状態である場合、ユーザが現在携帯電話機１を使用しているときであると考えられることから、終話・電源キーの電源キーとしてのオン動作またはオフ動作を実行するようにしても構わない。そこで、終話・電源キーが押下されたと判定された場合に、磁気センサ１７ａ乃至１７ｃを用いて、携帯電話機１の状態が閉位置の状態であるか否かを判定する。そして、携帯電話機１の状態が閉位置の状態であると判定された場合、第２の操作キー１４のうちの終話・電源キー以外の操作キーが押下されているかを判定するとともに、携帯電話機１の状態が開位置の状態であると判定された場合、直ちに、終話・電源キーの電源キーとしてのオン動作またはオフ動作を実行するようにする。これにより、ユーザの意図しない誤作動をより好適に防止することができる。その結果、携帯電話機１における利便性をより向上させることができる。以下、この方法を用いた終話・電源キー有効無効制御処理について説明する。
【００５９】
図６のフローチャートを参照して、図３の携帯電話機１における他の終話・電源キー有効無効制御処理について説明する。なお、図６のステップＳ２１、およびステップＳ２３乃至Ｓ２５の処理は、図４のステップＳ１乃至Ｓ４の処理と同様であり、その説明は繰り返しになるので省略する。
【００６０】
ステップＳ２１において第２の操作キー１４のうちの終話・電源キーが押下されたと判定された場合、制御部４１はステップＳ１２で、磁気センサ１７ａ乃至１７ｃを用いて、携帯電話機１の状態が閉位置の状態であるか否かを判定する。ステップＳ２２において携帯電話機１の状態が閉位置の状態であると判定された場合、処理はステップＳ２３に進み、ステップＳ２３以降の処理が実行される。
【００６１】
一方、ステップＳ２２において携帯電話機１の状態が閉位置の状態ではないと判定された場合（すなわち、携帯電話機１の状態が開位置の状態であると判定された場合）、制御部４１は、ユーザが現在携帯電話機１を使用しているときであると認識する。その後、ステップＳ２３の処理はスキップされ、ステップＳ２５においてユーザにより第２の操作キー１４のうちの終話・電源キーが押下されたときと認識され、終話・電源キーが有効にされ、終話・電源キーの電源キーとしてのオン動作またはオフ動作が実行される。これにより、ユーザによる第２の操作キー１４に応じた通常の電源キーとしてのオン動作またはオフ動作が直ちに実行される。
【００６２】
その後、処理はステップＳ２１に戻り、ステップＳ２１以降の処理が繰り返し実行される。
【００６３】
これにより、例えば第２の筐体１２に設けられた第２の操作キー１４のように操作キーが外部に露出している場合であっても、携帯電話機１が閉位置の状態である場合に限って終話・電源キーの電源キーとしての機能を無効にし、終話・電源キーの電源キーとしてのオン動作またはオフ動作の実行を禁止することができ、ユーザの意図しない誤作動をより好適に防止することができる。それとともに、ユーザが現在携帯電話機１を使用している場合に、ユーザによる第２の操作キー１４に応じた通常の電源キーとしてのオン動作またはオフ動作を直ちに実行することができる。その結果、携帯電話機１における利便性をより向上させることができる。
【００６４】
なお、最近では、上述したように、電源キーとしてだけでなく終話キーとしての機能も１つの同じ操作キーに終話・電源キーとして持たせており、携帯電話機１の状態が閉位置の状態であったとしても、他の携帯電話機１からの着信を受けることができ、ユーザは通話することができる。従って、携帯電話機１の状態が閉位置の状態であったとしても、ユーザが終話のために終話・電源キーを押下することが考えられる。そのため、携帯電話機１の状態が閉位置の状態であるから、単純に、終話・電源キーをすべて無効にしてしまうと、ユーザが終話させることができなくなってしまう。一方、携帯電話機１がユーザのポケットや鞄などに入れられた状態で何らかの形で外圧が加わり、ユーザが意図しないうちに終話・電源キーが押下されたときには、その外圧により終話・電源キーは長押しの状態で継続的に押下されていると考えられる。
【００６５】
そこで、携帯電話機１の状態が閉位置の状態である場合に、終話・電源キーの押下が長押しであるか短押しであるかを判定し、終話・電源キーの押下が長押しであると判定されたとき、終話・電源キーの電源キーとしての機能を無効にし、終話・電源キーの電源キーとしてのオン動作またはオフ動作の実行を禁止するとともに、終話・電源キーの押下が短押しであると判定されたとき、終話・電源キーの終話キーとしての機能を有効とし、終話キーとしての終話動作を実行するようにしてもよい。以下、この方法を用いた終話・電源キー有効無効制御処理について説明する。
【００６６】
図７のフローチャートを参照して、図３の携帯電話機１における他の終話・電源キー有効無効制御処理について説明する。なお、図７のステップＳ３１、ステップＳ３２、ステップＳ３４、およびステップＳ３７の処理は、図６のステップＳ２１乃至Ｓ２２、およびステップＳ２４乃至Ｓ２５の処理と同様であり、その説明は繰り返しになるので省略する。
【００６７】
ステップＳ３２において携帯電話機１の状態が閉位置の状態ではないと判定された場合（すなわち、携帯電話機１の状態が開位置の状態であると判定された場合）、制御部４１はステップＳ３３で、ユーザが携帯電話機１を使用していると認識し、時計回路４５を用いて終話・電源キーの押下が長押しであるか否かを判定する。ここで、「短押し」とは、１つの操作キーを予め設定された所定の時間（例えば１秒間）継続して押下する操作を意味しており、「長押し」とは、「短押し」における時間よりも多く予め設定された所定の時間（例えば３秒間など）継続して押下する操作を意味する。
【００６８】
ステップＳ３３において終話・電源キーの押下が長押しであると判定された場合、処理はステップＳ３４に進み、ステップＳ３４において終話・電源キーが有効にされ、電源キーのオン動作またはオフ動作が実行される。その後、処理はステップＳ１に戻り、ステップＳ１以降の処理が繰り返し実行される。
【００６９】
一方、ステップＳ３３において終話・電源キーの押下が長押しではないと判定された場合（終話・電源キーの押下が短押しであると判定された場合）、制御部４１はステップＳ３５で、終話・電源キーを有効にし、終話・電源キーの終話キーとしての終話動作を実行する。その後、処理はステップＳ１に戻り、ステップＳ１以降の処理が繰り返し実行される。
【００７０】
ステップＳ３２において携帯電話機１の状態が閉位置の状態であると判定された場合、制御部４１はステップＳ３６で、時計回路４５を用いて終話・電源キーの押下が長押しであるか否かを判定する。
【００７１】
ステップＳ３６において終話・電源キーの押下が長押しではないと判定された場合（すなわち、終話・電源キーの押下が短押しであると判定された場合）、制御部４１は、ユーザが携帯電話機１を通話のために使用していると認識する。その後、処理はステップＳ３５に進み、終話・電源キーが有効にされ、終話・電源キーの終話キーとしての終話動作が実行される。その後、処理はステップＳ１に戻り、ステップＳ１以降の処理が繰り返し実行される。
【００７２】
これにより、携帯電話機１の状態が閉位置の状態であったとしても、ユーザが終話のために終話・電源キーを押下したときには、終話・電源キーの終話キーとしての終話動作を実行し、通話を終了することができる。従って、ユーザの意図しない誤作動をより好適に防止することができるとともに、携帯電話機１における利便性をより向上させることができる。
【００７３】
一方、ステップ３６において終話・電源キーの押下が長押しであると判定された場合、制御部４１は、携帯電話機１がユーザのポケットや鞄などに入れられた状態で何らかの形で外圧が加わり、ユーザが意図しないうちに終話・電源キーが押下されたときであると認識する。その後、処理はステップＳ３７に進み、ステップＳ３７において終話・電源キー無効処理が実行される。
【００７４】
なお、勿論、本発明の実施形態において説明した処理を適宜組み合わせるようにしてもよい。また、本発明の実施形態においては、操作キーが外部に露出している携帯電話機１としてスライド式の携帯電話機１を明示的に記載したが、このような場合に限られず、例えばストレート式の携帯電話機１や折り畳み式の携帯電話機１などにも本発明を適用することができる。
【００７５】
なお、本発明は、携帯電話機１以外にも、ＰＤＡ（Personal Digital Assistant）、パーソナルコンピュータ、携帯型ゲーム機、携帯型音楽再生機、携帯型動画再生機、その他の情報処理情報処理装置にも適用することができる。
【００７６】
また、本発明の実施形態において説明した一連の処理は、ソフトウェアにより実行させることもできるが、ハードウェアにより実行させることもできる。
【００７７】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【００７８】
【図１】本発明に係る情報処理装置に適用可能な携帯電話機の外観の構成を示す外観図。
【図２】本発明に係る情報処理装置に適用可能な携帯電話機の他の外観の構成を示す外観図。
【図３】本発明に係る情報処理装置に適用可能な携帯電話機の内部の構成を示すブロック図。
【図４】図３の携帯電話機における終話・電源キー有効無効制御処理を説明するフローチャート。
【図５】図３の携帯電話機における他の終話・電源キー有効無効制御処理を説明するフローチャート。
【図６】図３の携帯電話機における他の終話・電源キー有効無効制御処理を説明するフローチャート。
【図７】図３の携帯電話機における他の終話・電源キー有効無効制御処理を説明するフローチャート。
【符号の説明】
【００７９】
１…携帯電話機、１１…第１の筐体、１２…第２の筐体、１３…メインディスプレイ、１４…第２の操作キー、１５…スピーカ、１６…サイドキー、１７（１７ａ乃至１７ｃ）…磁気センサ、１８…第１の操作キー、１９…マイクロフォン、２０…ＣＣＤカメラ、３１…アンテナ、３２…アンテナ共用器（ＤＵＰ）、３３…受信回路（ＲＸ）、３４…周波数シンセサイザ（ＳＹＮ）、３５…送信回路（ＴＸ）、３６…ＣＤＭＡ信号処理部、３７…圧縮伸張処理部、３８…ＰＣＭコーデック、３９…受話増幅器、４０…送話増幅器、４１…制御部、４２…記憶部、４３…バッテリ、４４…電源回路、４５…時計回路、４６…外部メモリインタフェース、４７…メモリカード。
【図１】
0004823163.tif 000002
【図２】
0004823163.tif 000003
【図３】
0004823163.tif 000004
【図４】
0004823163.tif 000005
【図５】
0004823163.tif 000006
【図６】
0004823163.tif 000007
【図７】
0004823163.tif 000008